(57)【特許請求の範囲】
【請求項１】
コネクションの多重伝送機能を有する伝送リンクと、コネクションの交換機能を有するコネクション交換ノードとを備えたコネクション型ネットワークに対して、コネクション型ネットワークの端末機能としてコネクションレス型パケット転送ノード及びコネクションレス型パケット通信端末を付加することによりコネクション型ネットワーク上に論理的に構築されたコネクションレス型パケット転送ネットワークにおいて、トラヒック分散制御装置によりトラヒックを分散制御するトラヒック分散制御方法であって、
コネクションレス型パケット転送ノードは、転送したパケットについて、送信元アドレス及び宛先アドレスの対の情報を統計情報として記録するとともに、この記録情報をトラヒック分散制御装置に通知し、
トラヒック分散制御装置は、コネクションレス型パケット転送ノードから入手した記録情報を解析し、解析の結果トラヒック流通量の多い送信元アドレス及び宛先アドレスの対を特定した場合に、特定した送信元アドレスに該当するコネクションレス型パケット通信端末間にコネクションを設定するようコネクション交換ノードの交換機能を制御するとともに、特定した宛先アドレス宛のパケットを設定したコネクションを使って送信するよう特定した送信元アドレスに該当するコネクションレス型パケット通信端末の送信機能を制御する
ことを特徴とするトラヒック分散制御方法。
【請求項２】
コネクションレス型パケット通信端末は、終端するコネクション毎に、送受信したパケットの流通量を統計情報として記録するとともに、この記録情報をトラヒック分散制御装置に通知し、
トラヒック分散制御装置は、コネクションレス型パケット通信端末から入手した記録情報を解析し、解析の結果トラヒック流通量の少ないコネクションを特定した場合に、特定したコネクションを使って送信されていたパケットをコネクションレス型パケット転送ノード宛のコネクションを使って送信させるよう該コネクションを終端するコネクションレス型パケット通信端末の送信機能を制御するとともに、特定したコネクションを削除するようコネクション交換ノードの交換機能を制御する
ことを特徴とする請求項１記載のトラヒック分散制御方法。
【請求項３】
コネクションの多重伝送機能を有する伝送リンクと、コネクションの交換機能を有するコネクション交換ノードとを備えたコネクション型ネットワークに対して、コネクション型ネットワークの端末機能としてコネクションレス型パケット転送ノード及びコネクションレス型パケット通信端末を付加することによりコネクション型ネットワーク上に論理的に構築されたコネクションレス型パケット転送ネットワークにおいて、トラヒック分散制御装置によりトラヒックを分散制御するトラヒック分散制御方法であって、
コネクションレス型パケット転送ノードとコネクションレス型パケット通信端末間又はコネクションレス型パケット転送ノード間をコネクションを用いて半永久的に接続するとともに、単数又は複数のコネクションレス型パケット転送ノードと複数のコネクションレス型パケット通信端末間をツリー状に接続し、
特定のコネクションレス型パケット通信端末間はコネクションを用いて動的に接続し、この動的な接続に対してのみ請求項１又は２何れか１項記載のトラヒック分散制御方法を適用する
ことを特徴とするトラヒック分散制御方法。
【請求項４】
コネクションレス型パケット通信端末が、複数のユーザ端末を収容し、コネクションレス型パケット通信端末が送信するパケットには、ユーザ端末から送信されてくるユーザパケットをカプセル化させ、コネクションレス型パケット通信端末が受信するパケットからは、カプセル化されていたユーザパケットを抽出し、これをユーザパケットの宛先となるユーザ端末へ送信する
ことを特徴とする請求項１乃至３何れか１項記載のトラヒック分散制御方法。
【請求項５】
トラヒック分散制御装置が、各コネクションレス型パケット通信端末間のトラヒック流通量について解析し、解析の結果コネクションレス型パケット転送ノードを介して転送される特定のコネクションレス型パケット通信端末間のトラヒック流通量が、コネクションレス型パケット転送ノードを介さずに転送される他の特定のコネクション型通信端末間のトラヒック流通量よりも多いことを認識した場合に、前記トラヒック流通量が少ないコネクションレス型パケット通信端末間からコネクションを削除するとともに、前記トラヒック流通量の多いコネクションレス型パケット通信端末間にコネクションを設定する
ことを特徴とする請求項３又は４何れか１項記載のトラヒック分散制御方法。
【請求項６】
コネクションの多重伝送機能を有する伝送リンクと、コネクションの交換機能を有するコネクション交換ノードとを備えたコネクション型ネットワークに対して、コネクション型ネットワークの端末機能としてコネクションレス型パケット転送ノード及びコネクションレス型パケット通信端末を付加することによりコネクション型ネットワーク上に論理的に構築されたコネクションレス型パケット転送ネットワークにおいて、トラヒック分散制御装置を用いてトラヒックを分散制御するトラヒック分散制御システムであって、
コネクションレス型パケット転送ノードは、転送したパケットについて、送信元アドレス及び宛先アドレスの対の情報を統計情報として記録するとともに、この記録情報をトラヒック分散制御装置に通知する手段を備え、
トラヒック分散制御装置は、コネクションレス型パケット転送ノードから入手した記録情報を解析し、解析の結果トラヒック流通量の多い送信元アドレス及び宛先アドレスの対を特定する手段と、特定した送信元アドレスに該当するコネクションレス型パケット通信端末間にコネクションを設定するようコネクション交換ノードの交換機能を制御する手段と、特定した宛先アドレス宛のパケットを設定したコネクションを使って送信するよう特定した送信元アドレスに該当するコネクションレス型パケット通信端末の送信機能を制御する手段とを備えた
ことを特徴とするトラヒック分散制御システム。
【請求項７】
コネクションレス型パケット通信端末は、終端するコネクション毎に、送受信したパケットの流通量を統計情報として記録するとともに、この記録情報をトラヒック分散制御装置に通知する手段を備え、
トラヒック分散制御装置は、コネクションレス型パケット通信端末から入手した記録情報を解析し、解析の結果トラヒック流通量の少ないコネクションを特定する手段と、特定したコネクションを使って送信されていたパケットをコネクションレス型パケット転送ノード宛のコネクションを使って送信させるよう該コネクションを終端するコネクションレス型パケット通信端末の送信機能を制御する手段と、特定したコネクションを削除するようコネクション交換ノードの交換機能を制御する手段とを備えた
ことを特徴とする請求項６記載のトラヒック分散制御システム。
【請求項８】
コネクションレス型パケット転送ノードとコネクションレス型パケット通信端末間又はコネクションレス型パケット転送ノード間をコネクションを用いて半永久的に接続され、単数又は複数のコネクションレス型パケット転送ノードと複数のコネクションレス型パケット通信端末間をツリー状に接続している場合において、特定のコネクションレス型パケット通信端末間の動的接続についてトラヒック分散制御を行う
ことを特徴とする請求項６又は７何れか１項記載のトラヒック分散制御システム。
【請求項９】
コネクションレス型パケット通信端末は、複数のユーザ端末を収容し、コネクションレス型パケット通信端末が送信するパケットには、ユーザ端末から送信されてくるユーザパケットをカプセル化させ、コネクションレス型パケット通信端末が受信するパケットからは、カプセル化されていたユーザパケットを抽出し、これをユーザパケットの宛先となるユーザ端末へ送信する手段を備えた
ことを特徴とする請求項６乃至８何れか１項記載のトラヒック分散制御システム。
【請求項１０】
トラヒック分散制御装置は、各コネクションレス型パケット通信端末間のトラヒック流通量について解析し、解析の結果コネクションレス型パケット転送ノードを介して転送される特定のコネクションレス型パケット通信端末間のトラヒック流通量が、コネクションレス型パケット転送ノードを介さずに転送される他の特定のコネクション型通信端末間のトラヒック流通量よりも多いことを特定する手段と、前記トラヒック流通量が少ないコネクションレス型パケット通信端末間からコネクションを削除する手段と、前記トラヒック流通量の多いコネクションレス型パケット通信端末間にコネクションを設定する手段とを備えた
ことを特徴とする請求項８又は９何れか１項記載のトラヒック分散制御システム。
【発明の詳細な説明】
【０００１】
【発明の属する技術分野】
本発明は、波長パス多重リンク及び波長パス交換ノードで構成されるフォトニックネットワークのようなコネクション型ネットワーク上に、インタネットのような論理的なコネクションレス型パケット転送ネットワークを構築した場合に、コネクションレス型パケット転送ネットワークの要求する転送容量に応じて、コネクション型ネットワークのリソースを自動割り当てするトラヒックエンジニアリングに関する。
【０００２】
【従来の技術】
従来より、波長パス多重リンク及び波長パス交換ノードで構成されるフォトニックネットワークのようなコネクション型ネットワーク上に、例えばインタネットのような論理的コネクションレス型パケット転送ネットワークを構築することが知られている。
【０００３】
【発明が解決しようとする課題】
しかし、このような従来の論理的コネクションレス型パケット転送ネットワークでは、コネクション数などのコネクション型ネットワークの転送リソースが、コネクションレス型パケット転送ネットワークに固定的に割り当てられているため、これを動的に変更することができなかった。また、コネクション型ネットワークの転送リソースは、ヒューリスティックな手段により、コネクションレス型パケット転送ネットワークに割り当てされていた。このため、コネクション型ネットワークの転送リソースに余裕があっても、コネクション型パケット転送ネットワークの転送容量の拡張を短時間且つ自動的に行うことができなかった。
【０００４】
本発明は、上記事情に鑑みてなされたものであり、その目的とするところは、コネクション型ネットワークの転送リソースに余裕があれば、この転送リソースをコネクションレス型パケット転送ネットワークの転送容量の要求に応じて短時間且つ自動的に割り当てられるトラヒック分散制御方法及び装置を提供することにある。
【０００５】
【課題を解決するための手段】
上記目的を達成するために、請求項１及び６の発明では、トラヒック分散制御装置が、コネクションレス型パケット転送ノードが転送するパケットの統計情報からトラヒック流通量の多いコネクションレス型パケット通信端末対を特定し、このコネクションレス型パケット通信端末間にコネクションを設定することで、コネクション型ネットワークの転送リソースを短時間且つ自動的にコネクションレス型パケット転送ノードへ割り当てることができる。
【０００６】
また、請求項２及び７の発明では、トラヒック分散制御装置が、コネクションレス型パケット通信端末が送受信するコネクション毎のトラヒック量の統計情報から、トラヒック流通量の少ないコネクションを特定し、このコネクションを削除することで、コネクション型ネットワークの転送リソースを短時間且つ自動的にコネクションレス型パケット転送ノードへ割り当てることができる。
【０００７】
さらに、請求項３及び８の発明では、コネクションレス型パケット転送ノードを半永久的に設定することで、トラヒック分散制御の有無に関わらず、全コネクションレス型パケット通信端末間で到達性を確保することができる。また、コネクションレス型パケット転送ノードを介さないコネクションを動的に設定することで、全コネクションレス型パケット通信端末間でトラヒック需要の多い部分にコネクション型ネットワークの転送リリースを割り当て、コネクションレス型パケット転送ネットワークの転送容量を拡大することができる。すなわち、到達性の確保と転送容量の拡大を両立できる。
【０００８】
さらに、請求項４及び９の発明では、インターネットサービスだけでなくＶＰＮサービスを提供するネットワークにおいても、トラヒック分散制御を行うことができる。
【０００９】
さらに、請求項５及び１０の発明では、コネクション型ネットワークの転送リソースに余裕がなくても、使用効率の低いコネクションを削除し、使用効率が高いコネクションを設定することで、コネクションレス型パケット転送ネットワークの転送容量を拡張することができる。
【００１０】
【発明の実施の形態】
本発明の実施形態について、フォトニックネットワーク上にＶＰＮ（Ｖｉｒｔｕａｌ  Ｐｒｉｖａｔｅ  Ｎｅｔｗｏｒｋ）サービス提供ネットワークを構築する例を用いて示す。図１は、本発明の実施形態を示すネットワークモデル（転送面）である。
【００１１】
このネットワークモデル（転送面）は、コネクション型ネットワークとしてのフォトニックネットワーク１０１が、コネクション交換ノードとして、第１波長交換機１０２，第２波長交換機１０３、また、コネクション型ネットワークの端末機能として、コネクションレス型のパケット転送ノードであるコアノード１０４、コネクションレス型のパケット通信端末である第１エッジノード１０５、第２エッジノード１０６、第３エッジノード１０７で構成され、これらの間に、コネクションとして第１コアリンク１０８、第２コアリンク１０９、第３コアリンク１１０、第４コアリンク１１１、第５コアリンク１１２が、それぞれ設定可能になっている。
【００１２】
一方、コネクションレス型パケット転送ネットワークとして、ＩＰｖ６ネットワーク１１３が、ＩＰｖ６パケット転送ノードであるコアノード１１４、ＩＰｖ６パケット通信端末である第１エッジノード１０５、第２エッジノード１０６、第３エッジノード１０７で構成されている。
【００１３】
また、ユーザ対応のＶＰＮとして、ＩＰｖ４ネットワーク１１４が、ＩＰｖ４中継ノードとして、第１エッジノード１０５、第２エッジノード１０６、第３エッジノード１０７、ＩＰｖ４ユーザ端末として、第１ユーザ端末１１５、第２ユーザ端末１１６、第３ユーザ端末１１７で構成され、これらの間がそれぞれ第１アクセスリンク１１８、第２アクセスリンク１１９、第３アクセスリンク１２０で接続されている。
【００１４】
このモデルでは、ユーザ端末からのＩＰｖ４パケットはアクセスリンクを介してエッジノードに届けられる。エッジノードでは、ＩＰｖ４パケットを元にＩＰｖ６パケットを生成する。元のＩＰｖ４パケットはＩＰｖ６パケットにカプセル化される。生成されたＩＰｖ６パケットは、コアリンクを介してコアノード或いは着側のエッジノードに届けられる。
【００１５】
コアノードは、あるコアリンクから受信したＩＰｖ６パケットを別のコアリンクへ送出することで、着側のエッジノードに転送する。
【００１６】
着側のエッジノードは、受信したＩＰｖ６パケットから、ＩＰｖ４パケットを抽出し、これをアクセスリンクを介して宛先のユーザへ転送する。
【００１７】
本発明の目的は、このようなネットワークモデル（転送面）において、フォトニックネットワークのコアリンクを自動的に設定可能にすることである。このような自動設定を可能にするために、本実施形態では、図１のネットワークモデル（転送面）に対して、図２のネットワークモデル（制御面）を適用する。
【００１８】
このネットワークモデル（制御面）は、管理ネットワーク２０１を介して、トラヒック分散制御装置２０２が、第１波長交換機２０３、第２波長交換機２０４、コアノード２０５、第１エッジノード２０６、第２エッジノード２０７、第３エッジノード２０８と接続されている。
【００１９】
ここで、第１波長交換機２０３には第１波長交換テーブル２０９が、第２波長交換機２０４には第２波長交換テーブル２１０が、コアノード２０５にはＩＰｖ６転送テーブル２１１が、第１エッジノード２０６には第１ＩＰｖ６転送テーブル２１５が、第２エッジノード２０７には第２ＩＰｖ６転送テーブル２１６、第３エッジノード２０８には第３ＩＰｖ６転送テーブル２１７が内蔵されており、トラヒック分散制御装置２０２は、これらのテーブル書き換えができるようになっている。
【００２０】
ここで、第１エッジノード２０６には第１ＩＰｖ４転送テーブル２１２が、第２エッジノード２０７には第２ＩＰｖ４転送テーブル２１３が、第３エッジノード２０８にはＩＰｖ４転送テーブル２１４が内蔵されているが、これらのテーブルは、ここではトラヒック分散制御装置２０２の制御対象外である。ただし、これらのテーブルをトラヒック分散制御装置２０２の制御対象内に含めても良い。
【００２１】
このテーブル書き換えは、トラヒック分散制御装置２０２の図３に示すような構成によって実現される。
【００２２】
すなわち、トラヒック分散制御装置２０２は、コアノードからの統計情報収集部３０１、エッジノードからの統計情報収集部３０２、コアノード経由の転送パケットの統計情報管理部３０３、コアノード非経由の転送パケットの統計情報管理部３０４、波長パス設計／削除判定部３０５、波長交換機制御部３０６、エッジノード制御部３０７で構成される。
【００２３】
コアノードで収集した転送パケットの送信元アドレス及び宛先アドレス対の統計情報は、トラヒック分散制御装置２０２によって収集されるが、これは、コアノードからの統計情報収集部３０１によって行われる。コアノードからの統計情報収集部３０１は、収集した情報をコアノード経由の転送パケットの統計情報管理部３０３へ送信する。コアノード経由の転送パケットの統計情報管理部３０３では、コアノード経由の転送パケットの統計情報３０８をテーブルとして管理する。このテーブルのエントリは、送信元ＩＰｖ６アドレス、宛先ＩＰｖ６アドレス、トラヒック流通量で構成される。このテーブル情報は、波長パス設計／削除判定部３０５へ送付される。
【００２４】
一方、エッジノードが収集した波長パスのトラヒック流通量は、転送パケットの送信元アドレス及び宛先アドレス対の統計情報に置き換えられ、トラヒック分散制御装置２０２によって収集されるが、これはエッジノードからの統計情報収集部３０２によって行われる。エッジノードからの統計情報収集部３０２は、収集した情報をコアノード非経由の転送パケットの統計情報管理部３０４へ送信する。コアノード非経由の転送パケットの統計情報管理部３０４では、コアノード非経由の転送パケットの統計情報３０９をテーブルとして管理する。このテーブルのエントリは、送信元ＩＰｖ６アドレス、宛先ＩＰｖ６アドレス、トラヒック流通量で構成される。このテーブル情報は波長パス設計／削除判定部３０５へ送付される。
【００２５】
波長パス設計／削除判定部３０５では、コアノード経由の転送パケットの統計情報３０８と、コアノード非経由の転送パケットの統計情報３０９とを比較し、設定／削除すべきコアリンクを特定する。
【００２６】
例えば、コアリンク設定／削除のしきい値をトラヒック流通量５０Ｍｂ／ｓと決めたとして、コアノード経由の転送パケットの統計情報３０８として、送信元ＩＰｖ６アドレスがＩＰｖ６＃Ａ、宛先ＩＰｖ６アドレスがＩＰｖ６＃Ｂ、トラヒック流通量が８０Ｍｂ／ｓ、コアノード非経由の転送パケットの統計情報３０９として、送信元ＩＰｖ６アドレスがＩＰｖ６＃Ａ、宛先ＩＰｖ６アドレスがＩＰｖ６＃Ｃ、トラヒック流通量が１０Ｍｂ／ｓが得られたとする。この場合、第１エッジノード２０６と第２エッジノード２０７との間には、８０Ｍｂ／ｓのトラヒック流通量があるので、第１コアリンク１０８を設定すると判断し、第１エッジノード２０６と第３エッジノード２０８との間からは、１０Ｍｂ／ｓのトラヒック流通量しかないので、第３コアリンク１１０を削除すると判断する。判断後、コアリンクの設定／削除のための情報のうち、フォトニックレイヤに関わる情報を波長交換機制御部３０６へ送信するとともに、ＩＰｖ６レイヤに関わる情報をエッジノード制御部３０７へ送信する。
【００２７】
波長交換機制御部３０６では、得られた情報を元に第１波長交換機２０３の第１波長交換テーブル２０９及び第２波長交換機２０４の第１波長交換テーブル２１０を書き換えることで、第１コアリンク１０８を使用可能にし、第３コアリンク１１０を使用不可能にする。
【００２８】
一方、エッジノード制御部３０７では、得られた情報を元に、第１エッジノード２０６の第１ＩＰｖ６転送テーブル２１５、第２エッジノード２０７の第２ＩＰｖ６転送テーブル２１６、及び、第３エッジノード２０８の第３ＩＰｖ６転送テーブル２１７を書き換えることで、例えば、第１エッジノード２０６において、第１エッジノード２０６から第２エッジノード２０７宛のパケット転送経路を、設定した第１コアリンク１０８へ切り替えるとともに、第１エッジノード２０６から第３エッジノード２０８宛のパケット転送経路を、削除した第３コアリンク１１０から別のコアリンク（例えば第２コアリンク１０９）へ切り替える。
【００２９】
このような制御により、ＩＰｖ６ネットワークのトラヒック交流分布に応じて、適切にコアリンクを設定／削除することができるようになる。
【００３０】
ここで、コアリンクの設定の最適化手法について説明する。図１において、エッジノード数に関わらず、最小のコアリンク数で全てのエッジノード間でＩＰｖ６レイヤでの到達性を確保するために、第２コアリンク１０９、第４コアリンク１１１、第５コアリンク１１２を半永久的に設定する。すなわち、これらのリンクは削除不可とさせる。この状態では、パケットは必ずコアノード１０４を経由するが、どのエッジノードにも転送することができる。この状態において、各エッジノードは転送能力上、コアリンクを２本しか設定できないものとする。
【００３１】
この場合、第１エッジノード１０５は、第２エッジノード１０６或いは第３エッジノード１０７のいずれかにしかコアリンクを設定することができない。ここで、第１エッジノード１０５と第３エッジノード１０７の間には、既にコアリンクが設定されているものとする。トラヒック分散制御装置２０２は、この状態で、コアノード及び各エッジノードから、トラヒック流通量に関する情報を収集する。この結果、得られた情報は、図３の、コアノード経由の転送パケットの統計情報３０８として、送信先ＩＰｖ６アドレスがＩＰｖ６＃Ａ、宛先ＩＰｖ６アドレスがＩＰｖ６＃Ｂ、トラヒック流通量が８０Ｍｂ／ｓ、コアノード非経由の転送パケットの統計情報３０９として、送信先ＩＰｖ６アドレスがＩＰｖ６＃Ａ、宛先ＩＰｖ６アドレスがＩＰｖ６＃Ｃ、トラヒック流通量が１０Ｍｂ／ｓであったとする。
【００３２】
ここで、ＩＰｖ６＃ＡとＩＰｖ６＃Ｃ間を結ぶコアリンクは第３コアリンク１１０で、このコアリンク上のトラヒック流通量は１０Ｍｂ／ｓしかない。一方で、ＩＰｖ６＃ＡとＩＰｖ６＃Ｂ間を結ぶコアリンクを設定したとすると、このコアリンク上のトラヒック流通量は８０ｂ／ｓと推定される。したがって、ＩＰｖ６＃ＡとＩＰｖ６＃Ｃ間を結ぶコアリンクは削除し、ＩＰｖ６＃ＡとＩＰｖ６＃Ｂ間を結ぶコアリンクを設定することが有効であると判断する。
【００３３】
そこで、トラヒック分散制御サーバは、第３コアリンク１１０を削除し、第１コアリンク１０８を設定する。また、これに付随して、ＩＰｖ６転送経路を、第３コアリンク１１０は用いないのに対して、第１コアリンク１０８を用いるように切り替える。
【００３４】
このような制御により、全エッジノードでの到達性を確保しながら、ＩＰｖ６ネットワークのトラヒック交流分布に応じて、適切にコアリンクが設定／削除することで、ＩＰｖ６ネットワークの転送容量を最大化することができる。
【００３５】
【発明の効果】
以上詳述したように、本発明によれば、コネクション型ネットワーク上に、論理的なコネクションレス型パケット転送ネットワークを構築した場合に、コネクションレス型パケット転送ネットワークの要求する転送容量に応じて、コネクション型ネットワークのリソースを自動割り当てするトラヒックエンジニアリングが可能となる。したがって、コネクションレス型パケット転送ネットワークの転送容量を経済的に拡大することができる。
【図面の簡単な説明】
【図１】ネットワークモデル（転送面）を説明する図
【図２】ネットワークモデル（制御面）を説明する図
【図３】トラヒック分散制御装置の構成図
【符号の説明】
１０１…フォトニックネットワーク、１０２…第１波長交換機、１０３…第２波長交換機、１０４…コアノード、１０５…第１エッジノード、１０６…第２エッジノード、１０７…第３エッジノード、１０８…第１コアリンク、１０９…第２コアリンク、１１０…第３コアリンク、１１１…第４コアリンク、１１２…第５コアリンク、１１３…ＩＰｖ６ネットワーク、１１４…ＩＰｖ４ネットワーク、１１５…第１ユーザ端末、１１６…第２ユーザ端末、１１７…第３ユーザ端末、１１８…第１アクセスリンク、１１９…第２アクセスリンク、１２０…第３アクセスリンク、２０１…管理ネットワーク、２０２…トラヒック分散制御装置、２０３…第１波長交換機、２０４…第２波長交換機、２０５…コアノード、２０６…第１エッジノード、２０７…第２エッジノード、２０８…第３エッジノード、２０９…第１波長交換テーブル、２１０…第２波長交換テーブル、２１１…ＩＰｖ６転送テーブル、２１２…第１ＩＰｖ４転送テーブル、２１３…第２ＩＰｖ４転送テーブル、２１４…第３ＩＰｖ４転送テーブル、２１５…第１ＩＰｖ６転送テーブル、２１６…第２ＩＰｖ６転送テーブル、２１７…第３ＩＰｖ６転送テーブル、３０１…コアノードからの統計情報収集部、３０２…エッジノードからの統計情報収集部、３０３…コアノード経由の転送パケットの統計情報管理部、３０４…コアノード非経由の転送パケットの統計情報管理部、３０５…波長パス設計／削除判定部、３０６…波長交換機制御部、３０７…エッジノード制御部、３０８…コアノード経由の転送パケットの統計情報、３０９…コアノード非経由の転送パケットの転送情報
【図１】
0003710753.tif 000002
【図２】
0003710753.tif 000003
【図３】
0003710753.tif 000004